(57)【要約】【課題】内容物が盛り上がっていても、内容物を傷つけずに容易に封緘でき、底抜けも防止される差込封緘箱を提供する。【解決手段】各一対の側壁１及び端壁２からそれぞれ側フラップ４及び端フラップ５を延出し、側フラップ４に差込穴８を、端フラップ５に差込片１２をそれぞれ設け、端フラップ５を中間部で幅方向に延びる折目線１４沿いに屈曲させつつ、差込片１２を差込穴８に差し込んで封緘する差込封緘箱において、端フラップ５を基端から二分割して、それぞれの分割フラップ１１の先端部に差込片１２を備え、各差込片１２を順次差込穴８に差し込めるようにする。また、差込片１２の基端側へ向かう凸部１３が差込穴８に臨む押圧片９の端縁に当接して、差込片１２が差込穴８から抜け止めされるようにする。【選択図】図３
2005178877.tif 000002
【特許請求の範囲】
【請求項１】
各一対の側壁１及び端壁２からそれぞれ側フラップ４及び端フラップ５を延出し、側フラップ４に差込穴８を、端フラップ５に差込片１２をそれぞれ設け、端フラップ５を中間部で幅方向に延びる折目線１４沿いに屈曲させつつ、差込片１２を差込穴８に差し込んで封緘する差込封緘箱において、端フラップ５を基端から二分割して、それぞれの分割フラップ１１の先端部に差込片１２を備え、各差込片１２を順次差込穴８に差し込めるようにしたことを特徴とする差込封緘箱。
【請求項２】
前記側フラップ４の差込穴８に揺動する押圧片９を、前記端フラップ５の差込片１２に基端側へ向いた凸部１３をそれぞれ設け、この凸部１３が押圧片９の端縁に当接して、差込片１２が差込穴８から抜け止めされるようにしたことを特徴とする請求項１に記載の差込封緘箱。
【発明の詳細な説明】
【技術分野】
【０００１】
この発明は、ステープル等を使用することなく、フラップの差込により封緘する差込封緘箱に関するものである。
【背景技術】
【０００２】
従来、図６に示すように、各一対の側壁５１及び端壁５２の下縁からそれぞれ延びる底板５３，５４を一枚ずつ貼り合わせ、これらを噛み合わせて底面を閉止すると共に、各一対の側壁５１及び端壁５２の上縁からそれぞれ側フラップ５５及び端フラップ５６を延出し、側フラップ５５に差込穴５７を、端フラップ５６に差込片５８をそれぞれ設け、端フラップ５６を中間部で幅方向に延びる折目線５９沿いに屈曲させつつ、差込片５８を差込穴５７に差し込んで天面を封緘する差込封緘箱が知られている。
【発明の開示】
【発明が解決しようとする課題】
【０００３】
しかしながら、上記のような天面の封緘構造では、端フラップ５６の両側の差込片５８が同時に差込穴５７に差し込まれるため、内容物が天面近くまで盛り上がるように収納されている場合、いずれかの差込片５８が内容物に当たって封緘しにくくなる場合があり、このとき無理に差込片５８を差し込むと、内容物を傷つける恐れがある。
【０００４】
また、例えば、天地を逆転した状態で野菜などの内容物を箱詰めする包装箱において、内容物の収納後に封緘される箱の底面に上記のような封緘構造を適用すると、箱を正転させて運搬する際、内容物の荷重により差込穴５７から差込片５８が抜けて、側フラップ５５及び端フラップ５６が開いてしまい、内容物が落下する恐れがある。
【０００５】
そこで、この発明は、内容物が盛り上がっていても、内容物を傷つけずに容易に封緘でき、底抜けも防止される差込封緘箱を提供しようとするものである。
【課題を解決するための手段】
【０００６】
上記課題を解決するため、この発明は、各一対の側壁及び端壁からそれぞれ側フラップ及び端フラップを延出し、側フラップに差込穴を、端フラップに差込片をそれぞれ設け、端フラップを中間部で幅方向に延びる折目線沿いに屈曲させつつ、差込片を差込穴に差し込んで封緘する差込封緘箱において、端フラップを基端から二分割して、それぞれの分割フラップの先端部に差込片を備えることとし、各差込片を順次差込穴に差し込めるようにしたのである。
【０００７】
また、前記側フラップの差込穴に揺動する押圧片を、前記端フラップの差込片に基端側へ向いた凸部をそれぞれ設け、この凸部が押圧片の端縁に当接して、差込片が差込穴から抜け止めされるようにしたのである。
【発明の効果】
【０００８】
上記のように、端フラップを基端から二分割して、それぞれの分割フラップの差込片を順次差込穴に差し込めるようにすると、内容物の盛り上がりに注意して、その盛り上がり状態を適宜調整しながら、内容物を傷つけることなく容易に封緘することができる。
【０００９】
また、差込片の凸部を差込穴の押圧片の端縁に当接させて、差込片を差込穴から抜け止めすると、この封緘構造を箱の底面に適用した場合にも、底面側の側フラップと端フラップの係合が確実に維持され、底抜けが防止される。
【発明を実施するための最良の形態】
【００１０】
以下、この発明の実施形態として、ねぎを運搬する段ボール箱について、図１乃至図５に基づいて説明する。
【００１１】
図１に示すブランクでは、各一対の側壁１及び端壁２が交互に連設され、一方の側壁１の外縁に継代片３が設けられている。側壁１及び端壁２の下縁には長い側フラップ４及び端フラップ５がそれぞれ連設され、側壁１及び端壁２の上縁には短い側フラップ６及び端フラップ７がそれぞれ連設されている。
【００１２】
底面側の側フラップ４には、両側に差込穴８が設けられ、この差込穴８には、外縁側及び端縁側から押圧片９，１０がそれぞれ設けられている。
【００１３】
底面側の端フラップ５は、基端から二分割されて、各分割フラップ１１の先端部に差込片１２が備えられ、この差込片１２には、基端側への切込により凸部１３が設けられている。各分割フラップ１１の中間部には、幅方向に延びる折目線１４が入れられている。
【００１４】
天面側の側フラップ６には、両端角部を切り込んで、頭部が大きくなった押込片１５が設けられ、端フラップ７には、基部へ向かうコ字状の切込により、押込穴１６と押圧片１７とが設けられている。
【００１５】
上記のようなブランクを組み立てるには、図２に示すように、各一対の側壁１及び端壁２を折り曲げ、継代片３を反対側の端壁２に貼り付けて周壁をなし、天面側の端フラップ７及び側フラップ６を折り重ね、押圧片１７を下方へ揺動させつつ、押込片１５を押込穴１６に押し込む。
【００１６】
この状態において、箱の天面中央部には、内容物を確認でき、運搬時に手を掛けられる開口部が残存し、押込片１５が復元した押圧片１７により押されて押込穴１６から抜け止めされ、側フラップ６と端フラップ７とが確実にロックされる。
【００１７】
次に、図３に示すように、箱の天地を逆転させ、ここでは図示しないが、ねぎを箱内に収納すると、細長いねぎは開口部から落下することもなく、側フラップ６と端フラップ７により保持される。
【００１８】
そして、図３及び図４に示すように、側フラップ４を閉じ、各分割フラップ１１を折目線１４沿いに屈曲させつつ、その差込片１２を、押圧片９，１０を押し下げながら差込穴８に差し込むと、側フラップ４と端フラップ５とが係合して、箱の底面が封緘される。
【００１９】
このとき、上記差込封緘箱では、各分割フラップ１１の差込片１２を順次差込穴８に差し込むことができるので、ねぎの盛り上がりに注意しながら、適宜盛り上がり状態を調整すると、ねぎを傷つけることなく容易に封緘することができる。
【００２０】
また、押圧片９，１０の復元により差込片１２が側フラップ４の内面に押し付けられ、差込片１２の凸部１３が押圧片９の端縁に当接するので、図５に示すように、箱を正転させて運搬する際、ねぎの荷重が底面に作用しても、差込片１２が差込穴８から抜けることがなく、底抜けによるねぎの落下が防止される。
【００２１】
また、この差込封緘箱は、多少の寸法誤差があっても封緘できるため、フレキソグルアに装着した抜型を用いて、容易かつ低コストにブランクを製造することができ、安価に提供することができる。
【図面の簡単な説明】
【００２２】
【図１】この発明の実施形態に係る差込封緘箱のブランクを示す図
【図２】同上の天面封緘過程を示す斜視図
【図３】同上の天地を逆転した底面封緘過程を示す斜視図
【図４】同上の封緘状態を示す斜視図
【図５】同上の正転させた状態を示す斜視図
【図６】従来の差込封緘箱を示す斜視図
【符号の説明】
【００２３】
１  側壁
２  端壁
３  継代片
４  側フラップ（底面側）
５  端フラップ（底面側）
６  側フラップ（天面側）
７  端フラップ（天面側）
８  差込穴
９，１０  押圧片
１１  分割フラップ
１２  差込片
１３  凸部
１４  折目線
１５  押込片
１６  押込穴
１７  押圧片
【図１】
2005178877.tif 000003
【図２】
2005178877.tif 000004
【図３】
2005178877.tif 000005
【図４】
2005178877.tif 000006
【図５】
2005178877.tif 000007
【図６】
2005178877.tif 000008